(57)【要約】  本発明は、工程ガスをプロセスチャンバー内に導入し、真空プロセス装置の排気経路を介して工程ガスを排気する真空処理装置に関する。１つ以上の乾式真空ポンプ内の、排気ガスによって作り出された堆積物を、プロセスチャンバーが待機状態の間に、フッ化水素酸をその乾式ポンプの上流に導入することによって取り除く。フッ化水素酸は、フォアラインのノズルを介して乾式ポンプの上流に導入するか、または乾式ポンプの吸入口から導入する。【選択図】図２
2010529643.tif 000002
【特許請求の範囲】
【請求項１】
真空排気経路を介して処理チャンバーに接続されている吸入口を有する乾式真空ポンプから工程残渣を取り除くための装置であって：
流体を該乾式真空ポンプの該吸入口に導入するために位置付けられている注入ノズル；
フッ化水素酸を該注入ノズルに供給するために該注入ノズルに接続されているフッ化水素酸源；および
該注入ノズルを通過するフッ化水素酸の流れを調整するための、該フッ化水素酸源と該注入ノズルとの間に位置付けられているバルブ；
を具備する装置。
【請求項２】
少なくとも該バルブおよび該処理チャンバーを制御するための制御器であって、該処理チャンバーが待機状態のときにだけ該バルブを開く該制御器を更に具備する、請求項１に記載の装置。
【請求項３】
該注入ノズルが、該乾式真空ポンプに向けて噴射するために方向づけられている、請求項１に記載の装置。
【請求項４】
該真空排気経路が細長いフォアラインを含み、該注入ノズルが該フォアラインの長軸に沿って噴射するために方向づけられている、請求項１に記載の装置。
【請求項５】
該フッ化水素酸を該注入ノズルに導入する前に該フッ化水素酸を気化するために接続されている気化器を更に具備する、請求項１に記載の装置。
【請求項６】
該フッ化水素酸源が、０．１ｖｏｌ％〜２０ｖｏｌ％の範囲に希釈された酸を供給する、請求項１に記載の装置。
【請求項７】
該フッ化水素酸源が、該乾式真空ポンプの吸入口を０．１〜５０Ｔｏｒｒ（１０１〜７×１０３Ｐａ）の圧力に維持するために、該ノズルから該フッ化水素酸を供給して、ある質量流量の気化したフッ化水素酸を形成する、請求項１に記載の装置。
【請求項８】
中性ガスを該真空排気経路に導入するために接続されている中性ガス源を更に具備する、請求項１に記載の装置。
【請求項９】
該中性ガス源が窒素源である、請求項８に記載の装置。
【請求項１０】
該乾式ポンプが過負荷制御装置を更に具備し、該中性ガスおよび該フッ化水素酸の導入を原因として該過負荷制御装置が該乾式ポンプの速度を低下させる、請求項８に記載の装置。
【請求項１１】
該真空排気経路がフォアラインを含み、該注入ノズルが、フォアライン内で、該乾式真空ポンプの該吸入口の上流点に位置付けられている、請求項１に記載の装置。
【請求項１２】
該注入ノズルが該乾式真空ポンプの該吸入口に位置付けられている、請求項１に記載の装置。
【請求項１３】
該フッ化水素酸源が、流体を複数の乾式真空ポンプに導入するための複数の注入ノズルと接続している、請求項１に記載の装置。
【請求項１４】
該真空排気経路内のポート；および
該ポートと取り外し可能に接続されている、該ノズルを支持するフランジ；
を更に具備する、請求項１に記載の装置。
【請求項１５】
真空プロセスチャンバーを排気するために作動している乾式ポンプの表面から工程残渣を取り除くための方法であって、堆積工程が実施され、該真空プロセスチャンバーは堆積工程の間の待機状態であって、該乾式ポンプは真空排気経路を介して該真空プロセスチャンバーと接続しており：
該真空プロセスチャンバーが待機状態のときに、フッ化水素酸水溶液の流れを該乾式ポンプの吸入口に導入し、それによって工程残渣が該乾式ポンプの表面から取り除かれる工程を含む、方法。
【請求項１６】
窒素の流れを該真空排気に導入する工程を更に含む、請求項１５に記載の方法。
【請求項１７】
該窒素の流れが、該乾式ポンプの吸入口における圧力を０．１〜５０Ｔｏｒｒ（１０１〜７×１０３Ｐａ）の間に上昇させ、該方法が：
該乾式ポンプの作動速度を低下させて、該乾式ポンプの該吸入口における圧力を１００〜４００Ｔｏｒｒ（１０４〜５×１０４Ｐａ）の間に更に上昇させる工程を更に含む、請求項１６に記載の方法。
【請求項１８】
該フッ化水素酸の流れを該乾式ポンプの吸入口に導入する工程が：
液体のフッ化水素酸を、該ポンプ吸入口の上流で該真空排気経路に導入することを更に含む、請求項１５に記載の方法。
【請求項１９】
該乾式ポンプの内部部品上に液体のフッ化水素酸を随伴させるために方向付けられているノズルを介して、該液体のフッ化水素酸を該真空排気経路に導入する、請求項１８に記載の方法。
【請求項２０】
熱を加えることにより液体のフッ化水素酸の流れを気化する工程；および
該気化したフッ化水素酸を該乾式ポンプ吸入口の上流でノズルに導入する工程；
を更に含む、請求項１５に記載の方法。
【請求項２１】
フッ化水素酸の流れを該乾式ポンプの吸入口に導入する工程が：
バルブを制御してフッ化水素酸の流れを計量することを更に含む、請求項１５に記載の方法。
【請求項２２】
フッ化水素酸の流れを該乾式ポンプの吸入口に導入する工程が、０．１ｖｏｌ％〜２０ｖｏｌ％の範囲に希釈されたフッ化水素酸を導入することを更に含む、請求項１５に記載の方法。
【請求項２３】
フッ化水素酸の流れを該乾式ポンプの吸入口に導入する工程が、気化したフッ化水素酸を導入して、ノズルからのある質量流量の気化したフッ化水素酸を形成して該乾式真空ポンプの該吸入口を０．１〜５０Ｔｏｒｒ（１０１〜７×１０３Ｐａ）の間の圧力に維持することを更に含む、請求項１５に記載の方法。
【請求項２４】
フッ化水素酸の流れを該乾式ポンプの吸入口に導入する工程が、該フッ化水素酸を該乾式真空ポンプの該吸入口の上流で該真空排気経路に導入することを更に含む、請求項１５に記載の方法。
【請求項２５】
フッ化水素酸の流れを該乾式ポンプの吸入口に導入する工程が、該フッ化水素酸を該乾式真空ポンプの該吸入口に導入することを更に含む、請求項１５に記載の方法。
【請求項２６】
フッ化水素酸の流れを該乾式ポンプの吸入口に導入する工程が、該流れを複数の乾式真空ポンプの吸入口に導入することを更に含む、請求項１５に記載の方法。
【請求項２７】
該堆積工程が、テトラキスジメチルアミノハフニウム（ＴＤＭＡＨ）とオゾンとを用いてハフニウム酸化物ＡＬＤ膜を堆積させることを含む、請求項１５に記載の方法。
【請求項２８】
該堆積工程が、テトラキスエチルメチルアミノハフニウム（ＴＥＭＡＨ）とオゾンとを用いてハフニウム酸化物ＡＬＤ膜を堆積させることを含む、請求項１５に記載の方法。
【発明の詳細な説明】
【技術分野】
【０００１】
関連出願の相互参照
この出願は、「乾式ポンプ表面からの半導体工程残渣のその場除去」と題された、２００７年４月２５日出願の米国特許仮出願第６０／９２６１６４号の利益を請求し、その内容を全体として参照により本明細書に援用する。
【発明の概要】
【０００２】
本発明は、概して、工程ガスを用いた真空堆積処理の分野に関し、より特定的には、真空処理装置において用いられる乾式真空ポンプの内部表面上における、工程ガスからの蓄積した堆積物の除去に関する。
【課題を解決するための手段】
【０００３】
本発明は、半導体製造工程において乾式ポンプ機構に付着する工程残渣被膜の除去に関する問題を解決する。本発明の方法および装置は、ＴＤＭＡ金属前駆体またはＴＥＭＡ金属前駆体がプロセスチャンバー内で用いられて、結果として乾式ポンプ機構に多量の有機物を有する付着被膜が形成されるような工程に特に適している。しかし、本発明は、これらの工程への使用に限定されるものではなく、他の有機金属前駆体により多量の有機物を有する同様の付着被膜が生ずるような工程においても用いることが出来る。本発明者は、半導体プロセスチャンバーが待機状態のときに、希釈したフッ化水素酸を乾式ポンプの内部に注入することによってこれらの被膜を取り除くための装置および方法を開発した。
【図面の簡単な説明】
【０００４】
【図１】図１は、真空半導体製造工程の説明図である。
【図２】図２は、本発明の一実施形態による装置の概略説明図である。
【図３】図３は、本発明の別の実施形態による装置の概略説明図である。
【図４】図４は、本発明の一実施形態を実施する際に用いられる装置の正面立面図である。
【図５】図５は、本発明の一実施形態によるカップリングの概略図である。
【図６】図６は、本発明の一実施形態による方法を表すフローチャートである。
【図７】図７は、乾式ポンプの作業面上の堆積物を示す電子顕微鏡写真である。
【発明を実施するための形態】
【０００５】
本発明による装置２００を図２に示す。工程ガス２１０を、真空下でプロセスチャンバー２１２に導入する。半導体製造工程は、有機金属前駆体などの前駆体ガスと酸化剤とを用いて、基板上に金属酸化物を堆積させる。２種類のこういった工程として、原子層堆積法（ａｔｏｍｉｃ  ｌａｙｅｒ  ｄｅｐｏｓｉｔｉｏｎ）（ＡＬＤ）および化学気相堆積法（ｃｈｅｍｉｃａｌ  ｖａｐｏｒ  ｄｅｐｏｓｉｔｉｏｎ）（ＣＶＤ）がある。例えば、ハフニウム酸化物ＡＬＤ膜を、テトラキスジメチルアミノハフニウム（ＴＤＭＡＨ）とオゾン、またはテトラキスエチルメチルアミノハフニウム（ＴＥＭＡＨ）とオゾンとを用いてウエハ上に堆積させる。このような有機金属（Ｍｅｔａｌｏｒｇａｎｉｃ）ＡＬＤ工程は、その性質によって、その工程で使用された金属前駆体を形成する部分的に分解された配位子からの有機廃棄物を作り出す。このＡＬＤ堆積工程は一般的に２段階の工程であり、まず、最初のガスパルス中において、有機金属前駆体をチャンバーに流入させて、薄い金属層を堆積させ、続いてパージを行い、次いで第二のパルス中においてオゾンをチャンバーに流入させて、金属酸化物を形成する。気相反応はチャンバーの下流で起こり、二次反応生成物が乾式ポンプ内で凝固する。このような有機廃棄物は、真空ポンプの作業面上に急速に堆積物を蓄積させる。
【０００６】
ハフニウム酸化物の堆積において用いられるＡＬＤ工程の場合には、このような廃棄物はハフニウム酸化物粒子を含有する非晶質有機マトリックスを含むと考えられている。ハフニウム酸化物粒子は比較的硬く、非常に研磨性の複合物を生ずる。
【０００７】
典型的な真空堆積工程１００を図１に概略的に示す。この工程においては、工程ガス１１０であるテトラキスジメチルアミノハフニウム（ＴＤＭＡＨ）とオゾンとをプロセスチャンバー内に導入することによって、ＡＬＤ工程においてハフニウム酸化膜を基板上に堆積させる。プロセスチャンバー１２０内において、ＡＬＤ工程は、組成が変化可能な材料のコンフォーマルな薄膜を基板上に堆積させる自己制限的で連続的な表面の化学現象を生み出す。ハフニウム金属は有機金属前駆体として提供されるので、工程からの排気ガス１３０は、様々な有機副生成物および金属副生成物を気体および固体の形態で含有する。このような副生成物は、乾式ポンプ機構を通過するので、乾式ポンプの作動表面に堆積する可能性がある。
【０００８】
図７に示す顕微鏡写真は、乾式ポンプの作動表面上の堆積物の拡大部分を表す。この図は、堆積物がノジュール性を有し、最も大きいノジュールは直径５ミクロン（５μｍ）を超えることを明らかに示している。この堆積物のノジュール性は、堆積物が、気相中あるいはポンプの表面上のいずれか、またはその両方において種子核上に成長したことを示唆している。追加の試験は、堆積物が実際にはほぼ有機物であることをも示唆していた。
【０００９】
気相核形成によって形成された粉末は、乾式ポンプの表面上に蓄積する可能性がある。気相核形成は、排気ガスの気相構成成分の間の反応によって生じ、粉末状の固体反応生成物を生ずる。この生成物は、接触した表面上に蓄積する可能性がある。本明細書中で用いる用語「堆積物」は、膜成長、気相核形成、またはその他の現象を含む任意の物理的作用が原因で排気経路内の表面上に蓄積する固体を意味する。
【００１０】
しかし、堆積物が形成されてしまうと、真空処理装置の排気経路中にある乾式真空ポンプおよびその他の機械の性能に悪影響を及ぼす。例えば、乾式真空ポンプのポンプ部材への堆積は、ポンプ部材の効率的な形状を変化させ、ポンプの能率と有効性を悪化させる。この堆積物はまた、早期の磨耗や故障を引き起こす可能性がある。
【００１１】
図２に戻ると、この装置の真空排気経路は、プロセスチャンバー２１２を乾式真空ポンプ２３０と接続するフォアライン２１５を含む。「乾式」真空ポンプは、オイルシールされたロータリー真空ポンプの特徴である、オイルによる汚染と、流体、トラップ、およびフィルターの必要性とを大幅に低減するか、または除去する。圧縮比率、ポンプの寿命、初期コスト、および騒音に関する近時の改良により、乾式ポンプは様々な用途でより魅力的になった。乾式ポンプは、現在、維持管理の手間が少なく、廃棄する使用済みオイルがなく、交換するフィルターが存在せず、交換するオイルが存在せず、浄化するオイル残渣が存在しないために、低い所有コストを提供する。
【００１２】
真空堆積工程に加えて、乾式ポンプはまた、ロードロックチャンバー、搬送チャンバー、測定機器（例えば、ウエハ検査装置、質量分析装置、電子顕微鏡など）に対しても、そして高真空プロセスチャンバーのためのフォアポンプとしても非常に適している。乾式真空ポンプは、典型的には１０−２Ｔｏｒｒ〜１００Ｔｏｒｒ（１〜１０４Ｐａ）の吸入口圧力で動作し、大気圧か、またはほぼ大気圧へ排気する。
【００１３】
所有コストが低く維持管理の必要性が少ない信頼性のある乾式真空ポンプは、汚染を最小限に保たなければならない化学気相堆積（ＣＶＤ）工程および原子層堆積（ＡＬＤ）工程において頻繁に用いられる。例えば、乾式真空ポンプは、テトラキスジメチルアミノハフニウム（ＴＤＭＡＨ）とオゾンとを用いたハフニウム酸化物ＡＬＤ膜の堆積、およびテトラキスエチルメチルアミノハフニウム（ＴＥＭＡＨ）とオゾンとを用いたハフニウム酸化物ＡＬＤ膜の堆積において用いられる。
【００１４】
いくつかの乾式真空ポンプの構成が、高真空を作り出し、それを維持するために利用可能である。ルーツ（Ｒｏｏｔｓ）真空ポンプおよびフックアンドクロー（ｈｏｏｋ  ａｎｄ  ｃｌａｗ）真空ポンプは、反対方向に等速度で回転する２枚の正確に加工されたローターを含み、ケーシングの排気部分におけるガスを捕捉し、排気ポートに押し出す。ルーツ真空ポンプおよびフックアンドクロー真空ポンプは、一次真空ポンプおよび補助ポンプ（ｂａｃｋｉｎｇ  ｐｕｍｐ）として用いる。他の種類の乾式真空ポンプとしては、らせん状の経路内にあるガスが周回するローターによってポンプ内を進行するスクロールポンプや、一つ以上のらせんローターが回転してガスがポンプ内を進行するスクリューポンプが挙げられる。
【００１５】
オイルシールドポンプは、オイルによって封止の有効性を改良するけれども、オイルは、乾式真空ポンプのチャンバーを封止するために利用することは出来ない。代わりに、乾式ポンプの設計は、動く部品の間の比較的小さなクリアランスを維持することに頼っている。乾式ポンプのこの特徴により、乾式ポンプは付着する工程廃棄生成物の堆積に対してより敏感であり、このことは、急速な磨耗や、早すぎる壊滅的な故障さえも引き起こす可能性がある。
【００１６】
乾式ポンプの吸入口はプロセスチャンバーと直接連結していても良く、図２に示すように、フォアライン２１５を介してプロセスチャンバー２１２と連結していても良い。このフォアラインは、例えば、１．５インチ〜６インチ（３．８ｃｍ〜１５ｃｍ）の直径で、約６０フィート（約１８ｍ）までの長さのパイプであっても良い。真空処理装置の排気経路は、排気の様々な構成成分を再生し、取り除き、中和するための減少装置（ａｂａｔｅｍｅｎｔ  ｓｙｓｔｅｍ）を一般的に含む。
【００１７】
ＡＬＤ工程において用いられる炉の用途においては、フォアラインは約６インチ（約１５ｃｍ）の直径であり、５〜６０フィート（２〜１８ｍ）の長さであっても良い。フォアライン遮断バルブ２２９は、下記のポンプクリーニング工程の間、真空プロセスチャンバー２１２をフォアライン２１５から封止することが出来る。
【００１８】
フッ化水素酸源２１３は、フッ化水素酸供給ライン２２０を介してフォアライン２１５へと液体の酸を供給する。バルブ２１４または液体流量制御器は、フッ化水素酸のフォアラインへの流れを制御する。
【００１９】
図示する好ましい実施形態において、供給ライン２２０は、フォアライン２１５内の流れと平行方向を向いているノズル２１６を終点としている。このノズルは、約１００ミクロン（μｍ）〜１０００ミクロン（μｍ）の範囲の直径を有するオリフィスを含む。目下のところ好ましい実施形態においては、このノズルオリフィスは直径２２５ミクロン（μｍ）である。バルブまたは液体流量制御器２１４は、図２に示すようにノズル２１６の外部にあっても良く、バルブとノズルとが一体であっても良い。
【００２０】
ノズル２１６から出る希釈した液体のフッ化水素酸は、乾式真空ポンプ２３０の高温表面に直接衝突し、気化する。気化したフッ化水素酸は、分解されるか、そうでなければ、乾式真空ポンプの内部表面上の有機物やその他の堆積物と相互作用するか、または反応して、これらの堆積物を取り除く。取り除かれた堆積物は、減少器２５０を経て大気中に排気される。
【００２１】
発明者は、希釈したフッ化水素酸水溶液が、ＡＬＤ工程の間に乾式ポンプに形成されたノジュール堆積物を取り除くのに特に効果的であることを見出した。図７の電子顕微鏡写真に示すような表面積の大きな堆積物は、ある種のエッチャントに敏感であると考えられている。
【００２２】
本発明において用いられるフッ化水素酸水溶液は、その他のフッ素イオン源よりもかなりコストが低い。更に、フッ化水素酸を乾式ポンプに運ぶために本発明において用いられる機器のコストは、プラズマを作り出すために用いられる機器などの、別のフッ素イオン源を運ぶために用いられる機器のコストよりもかなり低い。
【００２３】
ノズル２１６をフォアライン２１５と平行な方向に向けて、それによってこの液体を乾式ポンプの高温表面に取り込むために、ライン２２０は、図２に示すように９０度の屈曲部２２２を有していても良い。取り外し可能なフランジまたはスプール部品２２１は、ライン２２０をフォアライン２１５に対して安定化させ、Ｏリング封止などの真空封止を備える。好ましい実施形態においては、フランジはフォアラインのポートから取り外し可能である。このポートは、フッ化水素酸供給ラインおよびノズルを用いない操作のために、封止することが出来る。
【００２４】
フッ化水素酸水溶液を導入するためにポンプの吸入口を使用することにより、この流体を運ぶためにポンプのハウジングにポートを有する特別仕立てのポンプの必要性が除去される。発明者は、フッ化水素酸をフォアラインにポンプの上流で注入するか、またはポンプの吸入口に直接注入することにより、ポンプの内部部品が完全にクリーニングされることを発見した。
【００２５】
ノズル２１６からの液体のフッ化水素酸が急激に膨張した流れの中に氷晶が形成されることを防ぐために、ノズル２１６の上流または下流でフォアライン２１５内に窒素源２１９から窒素を注入して、圧力を上昇させても良い。例えば、およそ０．００５Ｔｏｒｒ（０．７Ｐａ）の工程作動圧力を有するフォアライン内に窒素を注入して、圧力を０．１〜５０Ｔｏｒｒ（１０１〜７×１０３Ｐａ）の間、好ましくは約４０Ｔｏｒｒ（５×１０３Ｐａ）まで上昇させても良い。フッ化水素酸を注入して、圧力を例えば約４４Ｔｏｒｒ（５．９×１０３Ｐａ）まで更に上げても良い。
【００２６】
乾式真空ポンプは、負荷の増大や圧力増加を検知してポンプの速度を低下させる過負荷保護装置を有していても良い。この過負荷保護装置は、窒素とフッ化水素酸の注入によって生ずる圧力増加を検知し、ポンプの速度を実質的に低下させ、更にポンプ内およびフォアライン内の圧力を１００Ｔｏｒｒ（１０４Ｐａ）、好ましくは４００Ｔｏｒｒ（５×１０４Ｐａ）にまで上昇させることが出来る。この場合には、遅いポンプの速度と圧力増加の下で、クリーニングが起こる。
【００２７】
別の実施形態においては、乾式真空ポンプの吸入口圧力を作動中に０．１Ｔｏｒｒ〜５０Ｔｏｒｒ（１０１Ｐａ〜７×１０３Ｐａ）の範囲にするように、気化したフッ化水素酸の質量流速を調節する。
【００２８】
本発明の別の実施形態においては、ノズルに導入する前に液体を気化することによって、酸の流れの中に氷が形成されることを最小限にする。図３は、この実施形態による装置を示しており、図２と対応する部材は符号を１００ずつ増加させてある。気化器３２３を供給ライン３２０中に配置して、フォアライン３１５に導入する前に供給源３１３からのフッ化水素酸を気化する。好ましくは、フッ化水素酸は、気化器３２３内の加熱部材（図示せず）を用いて気化させる。気化したフッ化水素酸を、ノズルあるいは単純なオリフィス（図示せず）、または他の手段を介してフォアラインに導入しても良い。
【００２９】
別の態様では、フォアラインに導入する際に、ノズル自体によって液体のフッ化水素酸を噴霧しても良い。
図４に示す可動式のカート４００を用いて、手動で、または自動的に本発明の方法を施行しても良い。このカートは、好ましくはＭＮ（ミネソタ州）のＣｈａｎｈａｓｓｅｎにあるＥｄｗａｒｄｓ  Ｃｈｅｍｉｃａｌ  Ｍａｎａｇｅｍｅｎｔ  Ｄｉｖｉｓｉｏｎから入手可能な、Ｓｍａｒｔｃａｒｔ（商標）Ｈｉｇｈ  Ｐｕｒｉｔｙ  Ｃｈｅｍｉｃａｌ  Ｔｒａｎｓｆｅｒ  Ｓｙｓｔｅｍである。カート４００は、フッ化水素酸の容器４３０を含む。この酸は、本工程において用いるための、約０．１〜２０ｖｏｌ％の濃度であっても良い。別の態様では、容器４３０内の酸は、商業的に入手可能な高濃度のものであっても良い。この場合には、フッ化水素酸を希釈するために水を添加して、本発明の方法において用いるための固有の濃度にする。容器４３０は、ＭＮのＭｉｎｎｅａｐｏｌｉｓにあるＡＴＭＩ  Ｐａｃｋａｇｉｎｇから入手可能な、ＮｏｗＰＡＫ（登録商標）ｃｈｅｍｉｃａｌ  ｓｕｐｐｌｙ  ｃｏｎｔａｉｎｅｒであっても良い。
【００３０】
カート４００はまた、フッ化水素酸の流れを制御するためのバルブボックス４２０を含む。バルブボックスに接続されているカップリング５００を、図５に詳細に示す。バルブボックスのバルブ５１０は、二重構造式金具５２０、二重構造式チューブ５２５、フォアラインに接続し、フォアラインで封止をするためのＯリング（図示せず）を含む封止フランジ５３０、およびノズル５４０と接続している。チューブのポイント５３５における９０度の屈曲部（図示せず）は、ノズル５４０をフランジに対して垂直方向に向けて、図２に示すように、ノズルをフォアラインに対して水平に方向づけることを可能にする。
【００３１】
二重構造式チューブ５２５は可撓性であっても良く、使用しないときにはスプール４３０に収納しても良い。カート４００を工具から工具へと製造施設中を移動させて、複数の乾式ポンプに本発明の方法を行っても良い。
【００３２】
制御器２２５（図２）を本発明に組み込んで、本工程における動作を適切に順序付けても良い。制御器２２５は、プロセスチャンバー２１２、または別個のプロセスチャンバー制御器（図示せず）と連結する。制御器はまた、バルブ２１４、および窒素供給源２１９とも連結する。制御器２２５は、実行時に図６の方法６００に示す一連の工程を行う命令を含有するコンピューター読み取り可能媒体にアクセスする。制御器は、乾式ポンプクリーニング工程の開始前に、処理チャンバーが待機状態かどうか、またはチャンバー内の処理（工程６１０）が終了しているか否かを確認する。次いでフォアライン遮断バルブ２２９を閉じて（工程６１５）、フッ化水素酸がプロセスチャンバーを汚染することを防ぐ。次いで窒素の流れをフォアラインに導入する（工程６２０）。一実施形態においては、ノズルに導入する前にフッ化水素酸の流れを気化させる（工程６３０）。次いで、バルブ２１４（図２）を開けることによって、フッ化水素酸の流れを乾式ポンプの吸入口に導入する（工程６４０）。
【００３３】
フッ化水素酸源２１３、バルブ２１４、供給ライン２２０、および図２に示すその他の関連機器を、複数のプロセスチャンバー、複数のフォアライン、および複数の真空ポンプを有する施設内で用いることが出来る。フッ化水素酸源は、フォアラインの数だけそれぞれ配管された供給ラインを有する、施設の中心の取り外し不可能な設置機器であっても良い。この構成は、単一のフッ化水素酸源を用いて複数の工具にフッ化水素酸を比較的低いコストで供給することを可能にする。制御器２２５と同様の中央制御器により、それぞれの乾式ポンプのクリーニング周期を制御し、バルブ２１４と同様のバルブをそれぞれの供給ラインに対して操作しても良い。
【００３４】
上記の詳細な説明、および添付の図面は、あらゆる点で説明的であり例示的であるが、限定的なものではないと理解されるだろう。また、本明細書中に開示した本発明の範囲は、発明の詳細な説明から決定されるものではなく、むしろ特許請求の範囲から、特許法により許される最大の幅で解釈されるものとして決定される。例えば、本発明の装置は、真空乾式ポンプからＡＬＤおよびＣＶＤ工程の有機副生成物および有機金属副生成物の堆積物を取り除くことに関して記載されているけれども、本装置を同様にその他の工程において作り出された副生成物を取り除くために用いても良い。本明細書中に示し、記載した実施形態は、本発明の本質を例示したに過ぎず、本発明の範囲および精神から逸脱すること無く、当業者によって様々な改変を行うことが可能であると理解されよう。
【図１】
2010529643.tif 000003
【図２】
2010529643.tif 000004
【図３】
2010529643.tif 000005
【図４】
2010529643.tif 000006
【図５】
2010529643.tif 000007
【図６】
2010529643.tif 000008
【図７】
2010529643.tif 000009
【国際調査報告】
2010529643.tif 000010